(57)【要約】【課題】省電力モードから通常モードへ、高速に移行することができる印刷装置を提供することを目的とする。【解決手段】画像データに基づいて画像を印刷し、通常モードと消費電力を制限する省電力モードとを具備する印刷装置において、印字動作を制御する第１のＣＰＵと、上記省電力モードから上記通常モードへ移行する際に、上記第１のＣＰＵの起動動作と上記印刷装置の印刷機構起動動作とを並行して実行するように制御する第２のＣＰＵであって、上記第１のＣＰＵよりも消費電力が低い第２のＣＰＵとを有する印刷装置である。【選択図】図１
2010201706.tif 000002
【特許請求の範囲】
【請求項１】
画像データに基づいて画像を印刷し、通常の動作モードである通常モードと消費電力を制限する省電力モードとを具備する印刷装置において、
印字動作を制御する第１のＣＰＵと；
上記省電力モードから上記通常モードへ移行する際に、上記第１のＣＰＵの起動動作と上記印刷装置の印刷機構起動動作とを並行して実行するように制御する第２のＣＰＵであって、上記第１のＣＰＵよりも消費電力が低い第２のＣＰＵと；
を有することを特徴とする印刷装置。
【請求項２】
画像データに基づいて画像を印刷し、通常の動作モードである通常モードと消費電力を制限した省電力モードを具備する印刷装置において、
印字動作を制御する第１のＣＰＵと；
上記省電力モードから上記通常モードへ移行する際に、上記第１のＣＰＵの起動動作と上記印刷装置の印刷機構起動動作とを並行して実行するように制御するＡＳＩＣであって、上記第１のＣＰＵよりも消費電力が低いＡＳＩＣと；
を有することを特徴とする印刷装置。
【請求項３】
請求項１または請求項２であって、
上記省電力モードでは、電源供給時に初期化動作を行う必要のある上記第１のＣＰＵに対する電源供給を制限し、上記第２のＣＰＵまたはＡＳＩＣにのみ電力を供給するモードであることを特徴とする印刷装置。
【発明の詳細な説明】
【技術分野】
【０００１】
本発明は、省電力モードから通常モードへ移行する際に、メインＣＰＵの起動と印刷機構の起動とを並列に実行する印刷装置に関する。
【背景技術】
【０００２】
従来の印刷装置は、メインＣＰＵによって、印刷機構部の調整動作を行っている。よって、省電力モードから通常モードへ移行して印刷を再開させる際は、最初にメインＣＰＵを起動し、この完了を待ってから、印刷前調整動作を行わなければならず、動作速度の面で、改善する余地がある。したがって、省電力モードから通常モードへ移行する際に、これらメインＣＰＵや印刷機構部における高速で確実な起動制御が望まれている。
【０００３】
そこで、省電力モード時に、メインＣＰＵへの電力供給を停止した上で、メインＣＰＵよりも消費電力が少ないサブＣＰＵが制御権を有し、外部インタフェースから入力される印刷ジョブを監視する方式が提案されている。この提案では、省電力モード下で、サブＣＰＵが印刷ジョブの入力を確認した場合に、メインＣＰＵへ電源供給の再開を指示し、メインＣＰＵが起動した段階で、外部インタフェースの監視を含めた制御権を、メインＣＰＵへ移行する。サブＣＰＵは、メモリを持たず、サブＣＰＵからメインＣＰＵへ制御権が移る間に受信した印刷ジョブを、メモリへ一時的に保存し、メインＣＰＵが起動後に、メモリに保存されている印刷ジョブデータを、メインＣＰＵで処理する。このような制御を行うことによって、省電力モードからの復帰時に、確実なデータ処理を実現する。
【０００４】
また、省電力モード時に、メインＣＰＵへの電力供給を停止し、また、一定時間サブＣＰＵが処理すべき種類のデータが、インタフェースから入力されなければ、サブＣＰＵへの電力供給も停止する方式が提案されている。この提案では、インタフェース制御部が、印刷ジョブを監視し、メインＣＰＵとサブＣＰＵとへの電力供給を制御する。サブＣＰＵは、インタフェース制御部に内蔵され、インタフェース部は、サブＣＰＵがスリープしている状況下でも、ネットワーク監視と電力供給制御とを実行する。このような制御を行うことによって、省電力モード時の消費電力を、より低減させることができる（たとえば、特許文献１参照）。
【先行技術文献】
【特許文献】
【０００５】
【特許文献１】特開２００５−２６７０９９号公報
【発明の概要】
【発明が解決しようとする課題】
【０００６】
上記従来例では、省電力モード時における消費電力を削減できるが、省電力モードから通常モードへの移行における制御の高速化、特にメインＣＰＵと印刷機構起動動作との高速化が、考慮されてはいないという問題がある。つまり、上記従来例では、省電力モードから通常モードへ、高速に移行することができないという問題がある。
【０００７】
本発明は、省電力モードから通常モードへ、高速に移行することができる印刷装置を提供することを目的とする。
【課題を解決するための手段】
【０００８】
本発明は、画像データに基づいて画像を印刷し、通常モードと消費電力を制限する省電力モードとを具備する印刷装置において、印字動作を制御する第１のＣＰＵと、上記省電力モードから上記通常モードへ移行する際に、上記第１のＣＰＵの起動動作と上記印刷装置の印刷機構起動動作とを並行して実行するように制御する第２のＣＰＵであって、上記第１のＣＰＵよりも消費電力が低い第２のＣＰＵとを有する印刷装置である。
【発明の効果】
【０００９】
本発明は、省電力モードから通常モードへ、高速に移行することができるという効果を奏する。
【図面の簡単な説明】
【００１０】
【図１】実施例１の本体ＰＲ１の構成を示すブロック図である。
【図２】実施例１における印刷部４００９の概略構成を示す図である。
【図３】実施例１でメインＣＰＵと起動制御手段との消費電力量の比較図である。
【図４】実施例１において省電力モードから通常モードへの制御権の変遷図である。
【図５】本発明の印刷装置の基本的な動作を説明するフローチャートである。
【図６】実施例１において、通常モードへの移行動作を示すフローチャートである。
【発明を実施するための形態】
【００１１】
本発明を実施するための最良の形態は、次の実施例である。
【実施例１】
【００１２】
図１は、本発明の実施例１であるインクジェットプリント装置ＰＲ１の構成を示すブロック図である。
【００１３】
図２は、本発明の実施例１であるインクジェットプリント装置ＰＲ１における印刷部４００９の概略構成を示す図である。
【００１４】
インクジェットプリント装置ＰＲ１は、画像データに基づいて画像を印刷し、通常の動作モードである通常モードと消費電力を制限する省電力モードとを具備する印刷装置の例である。また、ネットワークを介して、外部に、または直接インタフェースで接続されているホストコンピュータ等の外部情報源から供給された印刷情報やフォーム情報、マクロ命令等に従って、対応する文字パターンやフォームパターン等を作成する。そして、インクジェットプリント装置ＰＲ１は、記録媒体である記録紙等に、画像を形成（印刷）する。
【００１５】
また、印刷部４００９は、往路走査プリントヘッド３００１と、復路走査プリントヘッド３００２と、キャリッジ３００３と、給紙ローラ３００４と、補助ローラ３００５と、紙送りローラ３００６と、記録紙３００７とを有する。
【００１６】
往路走査プリントヘッド３００１は、ブラック、シアン、マゼンタ、イエローの４色のカラーインクがそれぞれ封入されているインクタンクと、それぞれのインクに対応している４つのプリントヘッドとを一体化したマルチヘッドである。これら４つのプリントヘッドは、図２中、主走査往路方向Ｘ１の往路走査方向に沿って、ブラック、シアン、マゼンタ、イエローの各インク用のプリントヘッドが並ぶように配列されている。
【００１７】
復路走査プリントヘッド３００２は、往路走査プリントヘッド３００１と同様に構成されている。４色のインクに対応する４つのプリントヘッドの配列は、往路走査プリントヘッド３００１とは、対照的に、主走査往路方向Ｘ１に沿って、イエロー、マゼンタ、シアン、ブラックの順番で配列されている。
【００１８】
キャリッジ３００３は、往路走査プリントヘッド３００１と復路走査プリントヘッド３００２とを搭載し、主走査往路方向Ｘ１と主走査復路方向Ｘ２との両方向に移動されるキャリッジである。キャリッジ３００３は、プリント動作していない状態等の待機時には、ホームポジション位置Ｐにある。キャリッジ３００３は、ガイドロッドＧに、ガイドされつつ、図示しない移動機構によって、主走査往路方向Ｘ１と主走査復路方向Ｘ２との両方向に移動される。
【００１９】
紙送りローラ３００６は、補助ローラ３００５と共に、プリント媒体としての記録紙３００７を押えながら、矢印Ｙの副走査方向へ間欠的に搬送する。給紙ローラ３００４は、記録紙３００７を給紙し、また、紙送りローラ３００６と補助ローラ３００５と同様に、記録紙３００７を押える。
【００２０】
次に、実施例１における基本的な往復プリント動作について、説明する。
【００２１】
待機時に、ホームポジション位置Ｐに存在しているキャリッジ３００３は、記録開始命令によって、主走査往路方向Ｘ１に移動する。これに伴い、往路走査プリントヘッド３００１における４つのプリントヘッドは、それぞれの複数のインク吐出口から、画像データに従って、インクを吐出し、このインクによって、記録紙３００７上の印字等のプリントを行う。記録紙３００７の端部までの１行分の画像データのプリントが終了すると、紙送りローラ３００６が、矢印方向へ回転し、記録紙３００７を、Ｙ方向へ所定幅だけ、紙送りする。
【００２２】
続いて、キャリッジ３００３が、主走査復路方向Ｘ２に移動しながら、復路走査プリントヘッド３００２における４つのプリントヘッドの複数のノズルから、画像データに従って、インクを吐出し、記録紙３００７上に、印字等をプリントする。そして、元のホームポジションＰの位置まで戻る。その後に、再び紙送りローラ３００６が、記録紙３００７をＹ方向へ所定幅だけ紙送りする。このようなヘッドの走査動作と、紙送り動作との繰り返しによって、記録紙３００７上に画像を、順次プリントする。
【００２３】
なお、インクジェットプリント装置ＰＲ１の図示しない本体内には、次のモータ等が設けられている。キャリッジ駆動用のキャリッジモータ、給紙ローラ駆動用の給紙モータ、紙搬送駆動用の紙搬送モータ等を駆動するためのモータドライバ、プリントヘッドを駆動するためのプリントヘッド駆動用のドライバ等が設けられている。
【００２４】
インクジェットプリント装置ＰＲ１は、プリンタ制御ユニット４１０２と、外部メモリ４００７と、印刷部４００９と、操作パネル４０１０とを有する。
【００２５】
プリンタ制御ユニット４１０２において、ＣＰＵ４００１は、プリンタのＣＰＵであり、印字動作を制御する第１のＣＰＵの例である。ＣＰＵ４００１は、たとえば高速のＲＩＳＣ型ＣＰＵによって構成されている。ＣＰＵ４００１は、ＲＯＭ４００４に記憶されている制御プログラムや、外部メモリ４００７に記憶されている制御プログラム等に基づいて、システムバス４００５に接続されている各種のデバイスへアクセスし、総合的に制御する。
【００２６】
そして、最終的には、印刷用インタフェース４００８を介して接続されている印刷部４００９に、出力画像として画像信号を出力する。プリンタ制御ユニット４１０２内の各ブロック間の制御と画像データの通信とは、パケット構造のデータをやりとりすることで、実行したことになる。
【００２７】
ＲＯＭ４００４は、ＣＰＵ４００１の制御プログラムや、上記インクジェットプリント装置ＰＲ１の制御に必要なデータを記憶する。ＣＰＵ４００１は、外部インタフェース４０１１を介して、入力用バス４２００に接続されているホストコンピュータ等の外部装置と通信可能に構成されている。
【００２８】
なお、ホストコンピュータと外部ネットワークとを介して、通信するとしているが、図示していない表示装置等の直接インタフェースを介して、ホストコンピュータと接続し、通信を行うようにしてもよい。
【００２９】
ＲＡＭ４００２は、ＣＰＵ４００１のメインメモリやワークエリア等として機能する。
【００３０】
ホストコンピュータから入力用バス４２００を通じて入力され、圧縮された状態にある画像データを受信する。なお、図示しない増設ポートに接続されるオプションＲＡＭによって、ＲＡＭ４００２のメモリ容量を拡張することができる。ＲＡＭ４００２上に用意されている画像出力用メモリ４００３は、出力メモリとして、ＰＤＬジョブに対して、ハードレンダラ４０１２で作成されるラスタデータ、ラスタジョブについて、ホストコンピュータで作成されたラスタデータが記録される。
【００３１】
メモリコントローラ４００６は、ＤＲＡＭ等の外部メモリ４００７へのアクセスを制御する。ハードレンダラ４０１２は、内部にローカルメモリを持っている。ハードレンダラ４０１２は、ＰＤＬジョブに対して、ローカルメモリに転送されたディスプレイリスト（以後、ＤＬと呼ぶ）またはＲＡＭ４００２上にあるＤＬを、そのまま解釈し、ラスタデータとラスタデータとの各画素に対応する属性データを作成する。
【００３２】
非可逆圧縮伸張部４０１３は、ホストコンピュータから入力用バス４２００を通じて、ＲＡＭ４００２へ入力された画像データ、非可逆圧縮された画像データを、伸張する部分である。非可逆圧縮伸張部４０１３は、ＲＡＭ４００２に保存されている圧縮コードを読み出し、伸張処理を行った後に、ＲＡＭ４００２へ画像データを保存する。非可逆圧縮方式として、ＪＰＥＧを用いる。圧縮符号化処理では、目標圧縮率が設定され、必要に応じて、パラメータ（量子化テーブル）を変更し、圧縮処理を繰り返し実行する。
【００３３】
可逆圧縮伸張部４０１４は、取り扱う圧縮方式が可逆圧縮であること以外、上記非可逆圧縮伸張部４０１３と同様である。可逆圧縮方式として、パックビッツを用いるようにしてもよい。上記パックビッツ方式は、非符号化とランレングス符号化とを組み合わせ、２バイト以上で構成されている。
【００３４】
１バイト目は、いくつ同じデータが続くか、または、いくつ異なるデータが続くかを示すコントロールバイトであり、その後に、データが続く。ここで、同じ種類のデータが連続している場合、２バイトで表すことができ、異なるデータが続いている場合、データ数よりも１バイト多いバイト数で表すことができる。実施例１において、圧縮方式については、非可逆圧縮と可逆圧縮との双方とも、使用可能であり、用途によって使い分けることができる。
【００３５】
画像処理部４０１５は、属性データに基づいて、ラスタデータに文字用の画像処理、イメージ用の画像処理、グラフィック用の画像処理、カラー用の画像処理、白黒用の画像処理、細線用の画像処理のいずれか、または組み合わせて施す。
【００３６】
起動制御手段４３００は、１つまたは複数の省電力型ＣＰＵや、印刷ジョブデータ監視部で構成され、常に入力用バス４２００と外部インタフェース４０１１とから印刷データが入力されるか否かを監視する。また、起動制御手段４３００は、必要に応じて、外部インタフェースの制御等を処理し、省電力モード時に印刷データの入力を確認した場合、通常モードへ移行処理するかどうかを判断する。そして、起動制御手段４３００は、通常モードへ移行処理する場合、ＣＰＵ４００１の起動動作と印刷部４００９の起動動作とを並行して実行するように、制御する。
【００３７】
つまり、起動制御手段４３００は、省電力モードから通常モードへ移行する際に、第１のＣＰＵの起動動作と印刷装置の印刷機構起動動作とを並行して実行するように制御し、上記第１のＣＰＵよりも消費電力が低い第２のＣＰＵの例である。
【００３８】
上記実施例において特徴的な点は、省電力モードから通常モードへの移行時に、メインＣＰＵの起動と印刷機構の初期起動動作とを、起動制御手段が並列に実行することを可能とする印刷装置である。次に、この特徴点について説明する。
【００３９】
上記実施例は、省電力モードから通常モードへの遷移時に、メインＣＰＵの起動と印刷機構の起動動作とを、並列に実行する起動制御手段を有する。
【００４０】
印刷装置が省電力モードにある場合、外部インタフェースから印刷ジョブデータが入力されるか否かを、常時チェックする目的で、起動制御手段にのみ電源供給され、印刷装置の制御権は、起動制御手段が有する。
【００４１】
図３は、実施例１におけるメインＣＰＵの消費電力量と、起動制御手段との消費電力量との比較例を示す図である。
【００４２】
実施例１において、起動制御手段は、１つまたは複数の省電力型ＣＰＵで構成されている。メインＣＰＵと、起動制御手段を構成する省電力型ＣＰＵ群とについて、消費電力量の大きい順に比較すると、図３に示すようになる。つまり、通常モード時のメインＣＰＵ、省電力モード時のメインＣＰＵ（Ｂｏｏｔ時）、通常モード時の起動制御用ＣＰＵ群、省電力モード時の起動制御用ＣＰＵ群の順で、消費電力が少なくなる。
【００４３】
起動制御手段では、省電力モード時に、外部インタフェースから印刷ジョブが入力された場合、まず印刷機構の初期起動動作を開始する。この印刷機構の初期起動動作は、具体的には、ヘッドリフレッシング動作、インク予備吐出動作、用紙確認動作、インク残量検知動作、モータ初期化動作等を指す。インクジェット方式の印刷装置において、印刷品質を保つために不可欠な動作である。実施例１の起動制御手段は、１つまたは複数のＣＰＵで構成され、印刷機構初期化動作は、ソフトウェアを用いることによって、比較的容易に実現可能である。
【００４４】
この起動制御手段は、上記印刷機構初期起動動作と並行して、メインＣＰＵ起動動作を行う。メインＣＰＵの起動動作は、ＲＯＭに保存されている印刷装置制御用プログラムをＲＡＭへ展開し、このＲＡＭ上に展開されたプログラムを用いて、メインＣＰＵで演算処理を実行できる状態にする動作である。メインＣＰＵは、起動後に、ＲＡＭに保存されている命令を、内部レジスタへ取り込み、デコード、演算処理等を行った結果を、ＲＡＭへ書き戻すという通常動作を行う。
【００４５】
なお、印刷装置制御用プログラムを展開する記憶装置は、起動制御手段に内蔵されているＲＡＭに限定する必要はなく、外部接続されたＲＡＭやハードディスク（以降、ＨＤＤという）での実現が可能である。ただし、ＲＯＭからＲＡＭへプログラムを展開する際には、一定時間のレイテンシがつきものである。特に、外部接続されたＲＡＭやＨＤＤ等を用いる場合、レイテンシは、より増大する傾向にある。実施例１は、これらのレイテンシによってもたらされる性能上のオーバーヘッドを削減することに寄与する。
【００４６】
実施例１では、印刷機構初期起動動作を行っている途中から並行して、メインＣＰＵの起動動作を行う場合の例であるが、メインＣＰＵの起動動作を開始するタイミングを、任意に設定可能である。
【００４７】
メインＣＰＵが起動した後は、印刷装置の制御権が、起動制御手段から、メインＣＰＵへ移る。印刷装置の制御権が、メインＣＰＵへ移った段階で、省電力モードから通常モードへの移行が完了する。
【００４８】
図４は、インクジェットプリント装置ＰＲ１において、省電力モードから通常モードへ至る際の制御権の変遷を示す図である。
【００４９】
通常モードへの移行後に、起動制御手段は、メインＣＰＵの制御下に置かれるが、外部インタフェースからの印刷ジョブ入力監視は、引き続き行うものとする（図４参照）。
【００５０】
上記のように、実施例１は、省電力モードから通常モードへの移行時に、メインＣＰＵの起動と、印刷機構起動動作とを、並列に実行することが困難である起動制御手段を有する。
【００５１】
次に、実施例１の詳細な動作について説明する。
【００５２】
図５は、インクジェットプリント装置ＰＲ１の基本的な動作を説明するフローチャートである。
【００５３】
具体的には、省電力モードから通常モードへ移行する際に、起動制御手段によるメインＣＰＵの起動と印刷機構起動動作とについて、外部インタフェースから画像データを受信する段階から、印刷する段階までを、順序立てて説明する。はじめに、インクジェットプリント装置ＰＲ１が省電力モードにある状態で、ホストコンピュータから印刷ジョブを受信し、印刷処理を行う際の全体動作を、フローチャートに従って説明する。
【００５４】
省電力状態にあるインクジェットプリント装置ＰＲ１について、ホストコンピュータから印刷データが送信され（Ｓ２００１）、インクジェットプリント装置ＰＲ１側では、印刷データの受信の有無について検知する（Ｓ２００２）。
【００５５】
ここで、印刷データの受信を確認できなければ、受信を検知できるまで、状態を維持する。一方、印刷データの受信が検知されれば、起動制御手段４３００が、通常モードへ移行する（Ｓ２００３）。通常モードへの移行を完了した後に、印刷データは、一旦メモリに保存される（Ｓ２００４）。この印刷データは、圧縮された画像データと印刷モード設定等の情報とを、含んでいる。
【００５６】
続いて、メモリに保存されている印刷データは、圧縮されている画像データ部分について伸張処理を施される（Ｓ２００５）。伸張処理された画像データは、２値化処理等の画像処理（Ｓ２００６）を経て、印刷処理される（Ｓ２００７）。印刷処理が行われた後も、印刷データの受信の有無について、検知が行われ（Ｓ２００８）、一定時間の間に再度印刷データを受信した場合、通常モードでの処理を繰り返す。一方、一定時間の間に印刷データを受信しなかった場合、インクジェットプリント装置ＰＲ１は、省電力モードへ移行（Ｓ２００９）し、待機状態へ戻る（Ｓ２０１０）。
【００５７】
図６は、実施例１において、通常モードへの移行動作（Ｓ２００３）を詳細に示すフローチャートである。
【００５８】
省電力モードから通常モードへの移行時は、起動制御手段４３００が制御権を持ち、各種処理を行う。省電力モードにおいて、ホストコンピュータから、印刷データ受信を検知したことを受け、１つまたは複数の省電力ＣＰＵによって構成されている起動制御手段４３００は、通常モードへの移行動作を開始する（Ｓ１００１）。通常モードへの移行動作を開始すると、起動制御手段４３００は、まず、印刷機構の初期起動動作（Ｓ１００２）を実行する。
【００５９】
この印刷機構の初期起動動作は、紙面に向けてインクを吐出する印刷ヘッド部のリフレッシュ動作や、インクの吐出確認動作、印刷を行うロール紙の有無についての確認と、インク残量検知動作と、モータ初期化動作等である。この初期起動動作は、インクジェットプリント装置ＰＲ１において、印刷品質を保つ上で重要な動作である。
【００６０】
印刷機構の初期起動動作を開始した後に、メインＣＰＵの起動動作（Ｓ１００３）を開始する。印刷機構の起動動作と、メインＣＰＵの起動動作とを、並行して行うようにしてもよい。
【００６１】
この後に、起動制御手段４３００は、メインＣＰＵの起動動作が完了したかどうかを検知する（Ｓ１００４）。メインＣＰＵの起動動作が完了していなければ、そのまま起動動作を継続させ、メインＣＰＵのＢｏｏｔが完了するまで待つ。メインＣＰＵが起動した後に、印刷機構の起動動作が完了したかどうかを調べる（Ｓ１００５）。
【００６２】
Ｓ１００４、Ｓ１００５において、インクジェットプリント装置ＰＲ１を動作させるために必要な部位の起動が完了したことを確認した上で、起動制御手段４３００が有していた制御権を、メインＣＰＵへ移行する（Ｓ１００６）。メインＣＰＵへ制御権が移行することによって、省電力モードから通常モードへの移行が完了し（Ｓ１００７）、通常の印刷動作に入ることができる。
【００６３】
なお、起動制御手段４３００を、１つ以上のＣＰＵではなく、ＡＳＩＣを用いて実現するようにしてもよい。この場合、上記ＡＳＩＣは、省電力モードから上記通常モードへ移行する際に、第１のＣＰＵの起動動作と印刷装置の印刷機構起動動作とを並行して実行するように制御し、第１のＣＰＵよりも消費電力が低いＡＳＩＣの例である。
【００６４】
なお、上記省電力モードでは、電源供給時に初期化動作を行う必要のある上記第１のＣＰＵに対する電源供給を制限し、第１のＣＰＵまたはＡＳＩＣにのみ電力を供給するモードである。
【００６５】
また、インクジェットプリント装置ＰＲ１を、第１のＣＰＵまたはＡＳＩＣを利用せずに動作させるようにしてもよい。
【００６６】
なお、上記実施例を、レーザビームプリンタや、電子写真方式等、他のプリント方式の装置等、他の印刷装置に適用するようにしてもよい。
【産業上の利用可能性】
【００６７】
上記実施例は、インクジェットプリント装置であるが、イメージスキャナを備えた複合機に、上記実施例を適用するようにしてもよい。
【符号の説明】
【００６８】
ＰＲ１…インクジェットプリント装置、
４００１…ＣＰＵ、
４０１０…操作パネル、
４３００…起動制御手段（第２のＣＰＵ）。
【図１】
2010201706.tif 000003
【図２】
2010201706.tif 000004
【図３】
2010201706.tif 000005
【図４】
2010201706.tif 000006
【図５】
2010201706.tif 000007
【図６】
2010201706.tif 000008